(57)【要約】【課題】使い勝手がよく、外観性に優れるアダプタレンズを提供する。【解決手段】アダプタレンズ３０は、前板３２と、光学部品３４と、側板３６と、上板３８と、後板４０とを備え、撮像装置１０の筐体１２の左側部の上部の角部１２Ａに脱着可能に取着される。撮影レンズ２２の周囲の前面１２０２箇所に前板３２を当接し、筐体１２の角部１２Ａ寄りの側面である左側面１２０６の上部に側板３６を当接し、筐体１２の角部１２Ａ寄りの上面１２１０箇所に上板３８を当接し、筐体１２の角部１２Ａ寄りの後面１２０４の上部に後板４０を当接した状態で、アダプタレンズ３０の撮像装置１０への装着状態が形成され、取り付け片４００４のねじ挿通孔４０１４からボス部３６１２のねじ孔３６１４にねじ５２を螺合し締め付けることで、前板３２と後板４０により筐体１２が挟持され装着状態が保持される。【選択図】図９
2007219433.tif 000002
【特許請求の範囲】
【請求項１】
矩形で薄板状の筐体の前面上部の角部に撮影レンズが設けられた撮像装置の前記筐体の角部に脱着可能に取着されるアダプタレンズであって、
前記撮影レンズの周囲の前記筐体の前面箇所に当接可能な前板と、
前記前板に組み込まれた光学部品と、
前記前板の側部に連設され前記筐体の前記角部寄りの側面上部に当接可能な側板と、
前記前板の上部に連設され前記筐体の前記角部寄りの上面箇所に当接可能な上板と、
前記上板の後部に揺動可能に連結され前記角部寄りの後面上部に当接可能な後板とを備え、
前記側板と反対に位置する前記前板の側部と前記上板の側部と前記後板の側部により側方に開放状の側部開口が形成され、
前記前板の下部と前記側板の下部と前記後板の下部により下方に開放状の下部開口が形成され、
前記撮影レンズの周囲の前記筐体の前面箇所に前記前板を当接し、前記筐体の側面の上部に前記側板を当接し、前記筐体の前記角部寄りの上面箇所に前記上板を当接し、前記筐体の前記角部寄りの後面上部に前記後板を当接した状態で、前記アダプタレンズの前記撮像装置への装着状態が形成され、
前記装着状態で、前記撮影レンズの光軸と前記光学部品の光軸とが合致するように形成され、
前記側板から側方に突出し後面にねじ孔が設けられたボス部が設けられ、
前記後板に、前記装着状態で前記ボス部に臨む取り付け片が設けられ、
前記取り付け片が前記ねじ孔に臨む箇所にねじ挿通孔が設けられ、
前記装着状態で、前記ねじ挿通孔から前記ねじ孔にねじを螺合し締め付けることで前記装着状態が保持される、
ことを特徴とするアダプタレンズ。
【請求項２】
前記前板が前記撮影レンズの周囲の前記筐体の前面箇所に当接する箇所、前記側板が前記筐体の左側面の上部に当接する箇所、前記上板が前記筐体の前記角部寄りの上面箇所に当接する箇所、前記後板が前記筐体の前記角部寄りの後面上部に当接する箇所にそれぞれ薄板状の弾性部材が取着されていることを特徴とする請求項１記載のアダプタレンズ。
【請求項３】
前記側板の下端および前記後板の下端は、前記前板の下端よりも上方に位置していることを特徴とする請求項１記載のアダプタレンズ。
【請求項４】
前記前板の下端は前記光学部品よりも僅かに下方に位置し、前記側板の下端および前記後板の下端は前記前板の下端よりも上方で上下方向において同じ高さに位置していることを特徴とする請求項１記載のアダプタレンズ。
【請求項５】
前記前板は、前記撮影レンズの周囲の前記筐体の前面箇所に当接可能な基板と、この基板から前方に膨出し前記光学部品が組み込まれた筒部とを有し、前記基板には、前記撮影レンズよりも大きい内径の孔が形成され、この孔の内周面は前記筒部の内周面に連続していることを特徴とする請求項１記載のアダプタレンズ。
【請求項６】
前記筒部の下端は前記光学部品よりも僅かに下方に位置し、前記基板の下端および前記側板の下端ならびに前記後板の下端は前記筒部の下端よりも上方で上下方向において同じ高さに位置していることを特徴とする請求項５記載のアダプタレンズ。
【請求項７】
前記アダプタレンズの前記撮像装置への装着状態で、前記基板の下方で前記筒部の下部と前記筐体の前面との間に、前記筐体に設けられたバリアが収容されることを特徴とする請求項６記載のアダプタレンズ。
【請求項８】
前記上板には、左右に延在し前記筐体の上面の部分を露出させる開口が設けられていることを特徴とする請求項１記載のアダプタレンズ。
【請求項９】
前記前板と前記側板と前記上板はアルミダイカスト製で一体成形され、前記後板はアルミダイカスト製であることを特徴とする請求項１記載のアダプタレンズ。
【請求項１０】
前記ボス部の後端は、前記側板の後端よりも前方に変位した箇所に位置し、前記取り付け片は前記後板よりも前方に変位した箇所に位置し、前記ねじ挿通孔から前記ねじ孔に螺合されるねじの頭部の端面は、前記後板の外面と同一面上に位置していることを特徴とする請求項１記載のアダプタレンズ。
【請求項１１】
前記前板は、前記撮影レンズの周囲の前記筐体の前面箇所のみに当接する大きさで形成され、前記側板は、前記筐体の角部寄りの側面上部のみに当接する大きさで形成され、前記上板は、前記筐体の前記角部寄りの上面箇所のみに当接する大きさで形成され、前記後板は、前記筐体の前記角部寄りの後面上部のみに当接する大きさで形成されていることを特徴とする請求項１記載のアダプタレンズ。
【発明の詳細な説明】
【技術分野】
【０００１】
本発明はアダプタレンズに関する。
【背景技術】
【０００２】
デジタルスチルカメラなどの撮像装置において、その鏡筒の先端に設けられた雌ねじにコンバージョンレンズを取り付けることで、撮影レンズの倍率を広角側あるいは望遠側に変換するようにしたものがある。
一方、近年では、矩形で薄板状の筐体を有する小型な撮像装置が提供されている。
そして、このような撮像装置では、鏡筒の先端に雌ねじが設けられておらず、コンバージョンレンズなどのアダプタレンズを取り付けることができない。
そこで従来では、このようなコンバージョンレンズを用いることができるように、撮像装置の筐体に取着される装着部と、装着部に設けられ鏡筒を覆う筒状壁部とを有し、この筒状壁部に設けた開口にコンバージョンレンズを装着する雌ねじを設けたレンズアダプタ装置が提案されている（特許文献１参照）。
【０００３】
【特許文献１】特開２００４−２６４３６７号公報
【発明の開示】
【発明が解決しようとする課題】
【０００４】
しかしながら、このようなレンズアダプタ装置では、筐体の側部でその前面、上面、後面、下面にわたりレンズアダプタ装置のケースを装着する構成であるため、近年の矩形で薄板状の筐体を有する小型な撮像装置に装着した場合に、レンズアダプタ装置がかさばり、小型な撮像装置が大型化してしまい、使い勝手の悪いものとなってしまう。
特に、撮影レンズが前面の上部の角部に配置された撮像装置では、撮影レンズ以外の箇所をレンズアダプタ装置のケースにより広く覆うためレンズアダプタ装置の外観性も悪くなる。
本発明はこのような事情に鑑みなされたもので、その目的は、使い勝手がよく、外観性に優れるアダプタレンズを提供することにある。
【課題を解決するための手段】
【０００５】
上述の目的を達成するため、本発明は、矩形で薄板状の筐体の前面上部の角部に撮影レンズが設けられた撮像装置の前記筐体の角部に脱着可能に取着されるアダプタレンズであって、前記撮影レンズの周囲の前記筐体の前面箇所に当接可能な前板と、前記前板に組み込まれた光学部品と、前記前板の側部に連設され前記筐体の前記角部寄りの側面上部に当接可能な側板と、前記前板の上部に連設され前記筐体の前記角部寄りの上面箇所に当接可能な上板と、前記上板の後部に揺動可能に連結され前記角部寄りの後面上部に当接可能な後板とを備え、前記側板と反対に位置する前記前板の側部と前記上板の側部と前記後板の側部により側方に開放状の側部開口が形成され、前記前板の下部と前記側板の下部と前記後板の下部により下方に開放状の下部開口が形成され、前記撮影レンズの周囲の前記筐体の前面箇所に前記前板を当接し、前記筐体の側面の上部に前記側板を当接し、前記筐体の前記角部寄りの上面箇所に前記上板を当接し、前記筐体の前記角部寄りの後面上部に前記後板を当接した状態で、前記アダプタレンズの前記撮像装置への装着状態が形成され、前記装着状態で、前記撮影レンズの光軸と前記光学部品の光軸とが合致するように形成され、前記側板から側方に突出し後面にねじ孔が設けられたボス部が設けられ、前記後板に、前記装着状態で前記ボス部に臨む取り付け片が設けられ、前記取り付け片が前記ねじ孔に臨む箇所にねじ挿通孔が設けられ、前記装着状態で、前記ねじ挿通孔から前記ねじ孔にねじを螺合し締め付けることで前記装着状態が保持されることを特徴とする。
【発明の効果】
【０００６】
本発明によれば、アダプタレンズは、撮影レンズが設けられた撮像装置の筐体の角部のみに装着される構成であるため、アダプタレンズを撮像装置に装着しても、小型な撮像装置が大型化することはなく、使い勝手のよいものとなる。
また、アダプタレンズは、撮影レンズが設けられた筐体の角部以外の不必要な筐体の箇所を覆わないため、アダプタレンズは見た目もコンパクトであり、アダプタレンズはその外観性に優れたものとなる。
【発明を実施するための最良の形態】
【０００７】
次に本発明の実施の形態について図面を参照して説明する。
図１（Ａ）は本実施の形態のアダプタレンズ３０が装着される撮像装置１０を前方から見た斜視図、（Ｂ）は撮像装置１０を後方から見た斜視図である。
図２は撮像装置１０に組み込まれる鏡筒１４の斜視図、図３は図２のＡＡ線断面図、図４は図２のＢＢ線断面図である。
まず、アダプタレンズ３０が取り付けられる撮像装置１０から説明する。
なお、本実施の形態では、撮像装置１０に対して被写体側を前方、その反対側を後方とし、左右は撮像装置１０の後方から見た状態でいうものとする。
【０００８】
図１に示すように、撮像装置１０はデジタルスチルカメラであり、外装を構成する薄板状の筐体１２を有している。
筐体１２は矩形板状を呈し、前後方向の厚さと、厚さよりも大きな寸法の上下方向の高さと、高さよりも大きな寸法の左右方向の幅を有し、筐体１２は、前面１２０２、後面１２０４、左右の側面１２０６、１２０８、上面１２１０、下面１２１２を有している。
前面１２０２、後面１２０４、左右の側面１２０６、１２０８、下面１２１２は平面で形成され、上面１２１０は、左右方向に延在する軸心を中心とした円筒面で形成されている。
【０００９】
筐体１２の左側部には、図中二点鎖線で示すように、上下に縦長のレンズ鏡筒１４が組み込まれている。
レンズ鏡筒１４は、図２乃至図４に示すように、鏡筒１６と、鏡筒１６に組み込まれた撮像素子１８と、鏡筒１６に組み込まれ被写体像を撮像素子１８に導く撮影光学系２０などを備えている。
撮影光学系２０は撮影レンズ（対物レンズ）２２を備え、図１に示すように、撮影レンズ２２は、筐体１２の左側部の前面１２０２上部の角部１２Ａに設けられたレンズ窓１２２０を介して筐体１２の前方に臨んで配置されている。
筐体１２の前面１２０２の上部中央箇所には、撮影補助光を出射するフラッシュ１２２２、セルフタイマーランプ１２２４などが設けられている。
筐体１２の前面１２０２にはバリア１２２６が上下にスライド可能に設けられ、このバリア１２２６は、レンズ窓１２２０、フラッシュ１２２２、セルフタイマーランプ１２２４を前方に露出させる下限位置と、これら、レンズ窓１２２０、フラッシュ１２２２、セルフタイマーランプ１２２４を覆う上限位置とにスライドされる。
【００１０】
筐体１２の上面１２１０の右半部には、撮像を行うためのシャッタボタン１２２８、撮影光学系２０のズームを調整するためのズームレバー１２３０、音声を収音するためのマイクロフォン１２３４が設けられている。
また、筐体１２の上面１２１０の左半部の後部には、静止画撮影と動画撮影を切り換えるためのモードスイッチ１２３２が設けられている。
筐体１２の右側面１２０６の上部には、電源のオンオフを行う電源スイッチ１２３６が設けられている。
筐体１２の後面１２０４には、撮像した映像を表示するディスプレイ１２３８が設けられ、ディスプレイ１２３８の側方に、ディスプレイ１２３８上にメニューを表示させるためのメニュースイッチ１２４０、ディスプレイ１２３８上に表示されるメニューを選択するなどの操作を行うためのコントロールスイッチ１２４２が設けられている。
また、筐体１２の後面でディスプレイ１２３８の下方に、ディスプレイ１２３８上の表示のオンオフを行うための表示スイッチ１２４４、画像サイズ切り換えスイッチ１２４６などが設けられている。
【００１１】
図２乃至図４に示すように、鏡筒１６は、厚さと、厚さよりも大きな寸法の幅と、幅よりも大きな寸法の高さとを有する扁平な矩形板状を呈し、撮像素子１８と撮影光学系２０とは鏡筒１６の長さ方向に沿って並べられて配置されている。
鏡筒１６は、その厚さ方向、幅方向、高さ方向を、撮像装置１０の筐体１２の前後方向、左右方向、上下方向のそれぞれに合致させた状態で筐体１２内部に配置されている。
【００１２】
撮影光学系２０は、上述の撮影レンズ２２の他に、反射部材２４、ズーム用可動レンズ群２００４、フォーカス用可動レンズ群２００６、第１乃至第３の固定レンズ群２００８、２０１０、２０１２、絞り２０１４などを備えている。
図３、図４に示すように、鏡筒１６の上部前面には撮影レンズ２２がその光軸を鏡筒１６の厚さ方向に向けて組み込まれ、鏡筒１６の下端には撮像素子１８がその撮像面を上方に向けて組み込まれている。
撮影レンズ２２の後方に臨む箇所には、撮影レンズ２２で捉えた像を下部に向けて（撮像素子１８側に）反射させる反射部材２４が配置されている。
反射部材２４と撮像素子１８の間には、第１の固定レンズ群２００８、ズーム用可動レンズ群２００４、第２の固定レンズ群２０１０、絞り２０１４、フォーカス用可動レンズ群２００６、第３の固定レンズ群２０１２がそれぞれの光軸を上下方向に向けて互いに合致した状態でそれらの順番で配置されている。
したがって、図３に示すように、被写体像を撮像素子１８に導く撮影光学系２０の光路が、撮影レンズ２２から後方に延在し反射部材２４の反射面に至る第１の光路部分Ｏ１と、反射部材２４の反射面から下方に延在し撮像素子１８に至る第２の光路部分Ｏ２とで構成され、第１の光路部分Ｏ１と第２の光路部分Ｏ２は９０度をなしている。すなわち、撮影光学系２０の光路は９０度屈曲されたものとなっており、これにより、レンズ鏡筒１４の厚さ方向の寸法を縮小して撮像装置１０の筐体１２の薄型化、小型化が図られている。
また、ズーム用可動レンズ群２００４およびフォーカス用可動レンズ群２００６は、鏡筒１６に設けられた駆動機構によってそれらの光軸方向に移動され、これによってズーム動作、フォーカス動作がなされる。
【００１３】
次に、本実施の形態のアダプタレンズ３０について説明する。
図５乃至図８はアダプタレンズ３０の斜視図、図９、図１０は撮像装置１０にアダプタレンズ３０が装着された状態を示す斜視図、図１１は撮像装置１０にアダプタレンズ３０が装着された状態を示す正面図、図１２は撮像装置１０にアダプタレンズ３０が装着された状態を示す側面図、図１３は撮像装置１０にアダプタレンズ３０が装着された状態を示す背面図である。
図１４（Ａ）はアダプタブロック４２の正面図、（Ｂ）は（Ａ）のＢ矢視図、図１５（Ｃ）は図１４（Ａ）のＣ矢視図、（Ｄ）は図１４（Ａ）のＤ矢視図、（Ｅ）は図１４（Ｂ）のＥ矢視図である。
図１６（Ａ）は後板４０の正面図、（Ｂ）は（Ａ）のＢ矢視図、（Ｃ）は（Ｂ）のＣ矢視図である。
【００１４】
図９乃至図１３に示すように、アダプタレンズ３０は、撮像装置１０の筐体１２の左側部の上部の角部１２Ａに脱着可能に取着されるものである。
図５乃至図８に示すように、アダプタレンズ３０は、前板３２と、光学部品３４と、側板３６と、上板３８と、後板４０とを備えている。
本実施の形態では、前板３２と側板３６と上板３８はアルミダイカスト製で型により一体成形されており、それら前板３２と側板３６と上板３８によりアダプタブロック４２が形成され、また、後板４０もアルミダイカスト製である。
【００１５】
図５乃至図８、図１４、図１５に示すように、前板３２は、基板３２０２と、この基板３２０２から膨出する筒部３２０４とを有している。
図８に示すように、基板３２０２には撮影レンズ２２よりも大きい内径の孔３２０６が形成され、この孔３２０６の内周面は筒部３２０４の内周面と連続している。
筒部３２０４の前部には光学部品３４として本実施の形態では撮影レンズ２２の撮影倍率を広角側あるいは望遠側に変換するコンバージョンレンズが組み込まれている。
筒部３２０４の上下部は、緩やかな湾曲面で形成されており、筒部３２０４の上下部は、光学部品３４の外周を支持するに足る最小限の肉厚で形成されている。したがって、図１１に示すように、筒部３２０４の下端は、すなわち、前板３２の下端は、光学部品３４の下端から僅かに下方に離れた箇所に位置している。
図６乃至図８に示すように、基板３２０２の内面３２１０は、撮影レンズ２２の周囲の筐体１２の前面１２０２箇所のみに当接する大きさで形成され、不必要な部分を可及的に取り除きアダプタレンズ３０の小型化が図られている。
本実施の形態では、孔３２０６の両側の内面箇所に薄板状の弾性部材４４が取着され、それら弾性部材４４が筐体１２の前面１２０２箇所に弾接するように形成され、言い換えると、基板３２の内面３２１０が弾性部材を介して筐体１２の前面１２０２箇所に当接するように形成されている。
弾性部材４４を形成する材料としては、筐体１２の表面に傷が付かず、かつ、外力に対する変形が比較的少ないものであればよく、例えばエラストマーを採用することができる。
図８に示すように、基板３２０２の下端は、筒部３２０４の下端よりも上方に位置し、したがって、基板３２の下端と筒部３２０４の下部内面３２０５との間に凹部３２１２が形成され、図１２に示すように、バリア１２２６の上限位置でこの凹部３２１２にバリア１２２６が挿入され、バリア１２２６の移動を妨げないように図られている。
【００１６】
側板３６は、前板３２の左側部に連設され、より詳細には、基板３２０２の左側部から後方に延在している。
側板３６は、基板３６０２と、基板３６０２の下部から左側方に突出するボス部３６０４とを備えている。
図８に示すように、基板３６０２の下端と基板３２０２の下端は、上下方向において同じ高さに位置し、アダプタレンズ３０の外観性が高められている。
したがって、側板３６の下端は筒部３２０４の下端よりも上方に位置し、基板３６０２の内面３２１０は、筐体１２の角部１２Ａ寄りの左側面１２０６の上部のみに当接する大きさで形成され、不必要な部分を可及的に取り除きアダプタレンズ３０の小型化が図られている。
本実施の形態では、基板３６０２の内面３６１０に薄板状の弾性部材４４が取着され、この弾性部材４４が筐体１２の左側面１２０６の上部に弾接するように形成され、言い換えると、基板３６０２の内面３６１０が弾性部材４４を介して筐体１２の左側面１２０６の上部に当接するように形成されている。
ボス部３６０４の後面３６１２にねじ孔３６１４が設けられている。
【００１７】
上板３８は、前板３２の上部から後方に突出され、上板３８の左側部は側板３６の上部に接続されている。
上板３８は、筐体１２の上面１２１０に対応して上方に凸の円筒面で形成されている。
上板３８の後半部には、図６、図１０に示すように、左右に延在し筐体１２の上面１２１０の部分（本実施の形態ではモードスイッチ１２３２）を露出させる開口３８０２が設けられ、この開口３８０２は上板３８の後縁に向けて開放状に形成されている。
したがって、上板３８の後半部に開口３８０２が設けられていることから、図８、図１４（Ｂ）、図１５（Ｅ）に示すように、上板３８の後半部は、上板３８の前半部の両端から後方に延在する２つの腕部３８０４で構成されている。
各腕部３８０４の後端に円柱状のボス部３８０６が形成され、ボス部３８０６には軸受け孔３８０８が形成されている。
なお、図８に示すように、前板３２の基板３２０２に取着された弾性部材４４の上部が上方に延在しており、その上部が上板３８の前半部の内面３８１０に取着されている。
上板３８は筐体１２の角部１２Ａ寄りの上面１２１０箇所のみに当接する大きさで形成され、不必要な部分を可及的に取り除きアダプタレンズ３０の小型化が図られている。
本実施の形態では、上板３８の前半部の内面３８１０に取着された弾性部材４４の箇所が筐体１２の角部１２Ａ寄りの上面１２１０箇所に弾接するように形成され、言い換えると、上板３８の内面３８１０が弾性部材４４を介して筐体１２の角部１２Ａ寄りの上面１２１０箇所に当接するように形成されている。
【００１８】
後板４０は、図６乃至図８に示すように、上板３８の後部に揺動可能に連結されている。
後板４０は、図１６（Ａ）乃至（Ｃ）に示すように、左右に延在する基板４００２と、基板４００２の左側部から外側方に突出する取り付け片４００４とを有している。
図１２に示すように、基板４００２の下端と側板３６の下端とは、上下方向において同じ高さに位置し、アダプタレンズ３０の外観性が高められている。
基板４００２の上縁の左右両側からそれぞれボス部４００６が上方に突設され、それらボス部４００６は上板３８のボス部３８０６と同一外形の円筒面で形成され、ボス部４００６には軸受け孔３８０８に合致する軸受け孔４００８が形成されている。
図８に示すように、後板４０は、それらボス部４００６を上板３８のボス部３８０６に合わせ、双方の軸受け孔３８０８、４００８に支軸４６を挿通することで後板４０は上板３８に揺動可能に連結されている。
取り付け片４００４が側板３６のねじ孔３６１４臨む箇所にねじ挿通孔４０１４が設けられている。
図１０、図１６（Ａ）に示すように、基板４００２の左半部の上縁には、モードスイッチ１２３２を操作しやすくするための切り欠き４０１０が設けられている。
後板４０は筐体１２の角部１２Ａ寄りの後面１２０４上部のみに当接する大きさで形成され、不必要な部分を可及的に取り除きアダプタレンズ３０の小型化が図られている。
本実施の形態では、図８に示すように、基板４００２の内面４０１２に弾性部材４４が取着され、この弾性部材４４が筐体１２の角部１２Ａ寄りの後面１２０４上部に弾接するように形成され、言い換えると、基板４００２の内面４０１２が弾性部材４４を介して筐体１２の角部１２Ａ寄りの後面１２０４上部に当接するように形成されている。
【００１９】
したがって、図６に示すように、側板３６と反対に位置する前板３２の右側部と上板３８の右側部と後板４０の右側部により右側方に開放状の側部開口４８が形成される。
また、前板３２の下部と側板３６の下部と後板４０の下部により下方に開放状の下部開口５０が形成される。
さらに、図９乃至図１３に示すように、撮影レンズ２２の周囲の前面１２０２箇所に前板３２を当接し、筐体１２の角部１２Ａ寄りの側面である左側面１２０６の上部に側板３６を当接し、筐体１２の角部１２Ａ寄りの上面１２１０箇所に上板３８を当接し、筐体１２の角部１２Ａ寄りの後面１２０４の上部に後板４０を当接した状態で、アダプタレンズ３０の撮像装置１０への装着状態が形成される。
そして、この装着状態で、撮影レンズ２２の光軸と光学部品３４の光軸とが合致するように形成されている。
また、この装着状態で、図５乃至図８に示すように、取り付け片４００４のねじ挿通孔４０１４からボス部３６１２のねじ孔３６１４にねじ５２を螺合し締め付けることで、前板３２と後板４０により筐体１２が挟持され装着状態が保持されるように形成されている。
【００２０】
本実施の形態によれば、アダプタレンズ３０は、撮影レンズ２２が設けられた撮像装置１０の筐体１２の左側部上部の角部１２Ａのみに装着される構成であるため、アダプタレンズ３０を撮像装置１０に装着しても、小型な撮像装置１０が大型化することはなく、使い勝手のよいものとなる。
また、アダプタレンズ３０は、筐体１２の左側部上部の角部１２Ａ以外の不必要な筐体１２の箇所を覆わないため、アダプタレンズ３０は見た目もコンパクトであり、アダプタレンズ３０はその外観性に優れたものとなる。
【００２１】
（第２の実施の形態）
次に図１７乃至図２０を参照して第２の実施の形態について説明する。
図１７は第２の実施の形態のアダプタレンズ３０の斜視図、図１８は撮像装置１０にアダプタレンズ３０が装着された状態を示す正面図、図１９は撮像装置１０にアダプタレンズ３０が装着された状態を示す側面図、図２０は撮像装置１０にアダプタレンズ３０が装着された状態を示す背面図である。なお、以下の実施の形態において、第１の実施の形態と同一または同様の箇所、部材には同一の符号を付して説明する。
第２の実施の形態では、側板３６のボス部３６０４の後端は、基板３６０２の後端よりも前方に変位した箇所に位置している。
また、後板４０の取り付け片４００４は基板４００２よりも前方に変位した箇所に位置している。
そして、ねじ挿通孔４０１４からねじ孔３６１４に螺合されるねじ５２の頭部の端面を、後板４０の外面と同一面上に位置させるようにしたものである。
この第２の実施の形態によれば、第１の実施の形態による作用効果に加え、ねじ５２の頭部の端面が後板４０の外面と同一面上に位置するので、装着時におけるアダプタレンズ３０の外観性を高める上で有利となる。
【００２２】
なお、弾性部材４４は省略してもよいが、本実施の形態のように、前板３２、側板３６、上板３８、後板４０に弾性部材４４を取着すると、アダプタレンズ３０の撮像装置１０への装着時に筐体１２に傷が付くことを防止する上で有利となる。
また、光学部品３４はコンバージョンレンズに限らず、フィルタなどの他の光学部品であってもよい。
また、筒部３２０４の前部に光学部品３４が装着されておらず、その代わりに光学部品３４を装着するための雌ねじが形成されていてもよい。
また、本発明のアダプタレンズ３０は、カメラ付き携帯電話機やカメラ付の携帯用電子機器にも適用可能である。
【図面の簡単な説明】
【００２３】
【図１】（Ａ）は本実施の形態のアダプタレンズ３０が装着される撮像装置１０を前方から見た斜視図、（Ｂ）は撮像装置１０を後方から見た斜視図である。
【図２】撮像装置１０に組み込まれる鏡筒１４の斜視図である。
【図３】図２のＡＡ線断面図である。
【図４】図２のＢＢ線断面図である。
【図５】アダプタレンズ３０の斜視図である。
【図６】アダプタレンズ３０の斜視図である。
【図７】アダプタレンズ３０の斜視図である。
【図８】アダプタレンズ３０の斜視図である。
【図９】撮像装置１０にアダプタレンズ３０が装着された状態を示す斜視図である。
【図１０】撮像装置１０にアダプタレンズ３０が装着された状態を示す斜視図である。
【図１１】撮像装置１０にアダプタレンズ３０が装着された状態を示す正面図である。
【図１２】撮像装置１０にアダプタレンズ３０が装着された状態を示す側面図である。
【図１３】撮像装置１０にアダプタレンズ３０が装着された状態を示す背面図である。
【図１４】（Ａ）はアダプタブロック４２の正面図、（Ｂ）は（Ａ）のＢ矢視図である。
【図１５】（Ｃ）は図１４（Ａ）のＣ矢視図、（Ｄ）は図１４（Ａ）のＤ矢視図、（Ｅ）は図１４（Ｂ）のＥ矢視図である。
【図１６】（Ａ）は後板４０の正面図、（Ｂ）は（Ａ）のＢ矢視図、（Ｃ）は（Ｂ）のＣ矢視図である。
【図１７】図１７は第２の実施の形態のアダプタレンズ３０の斜視図である。
【図１８】撮像装置１０にアダプタレンズ３０が装着された状態を示す正面図である。
【図１９】撮像装置１０にアダプタレンズ３０が装着された状態を示す側面図である。
【図２０】撮像装置１０にアダプタレンズ３０が装着された状態を示す背面図である。
【符号の説明】
【００２４】
１０……撮像装置、１２……筐体、１２Ａ……角部、２２……撮影レンズ、３０……アダプタレンズ、３２……前板、３４……光学部品、３６……側板、３８……上板、４０……後板、４８……側部開口、５０……下部開口、３６０４……ボス部、３６１４……ねじ孔、４００４……取り付け片、４０１４……ねじ挿通孔、５２……ねじ。
【図１】
2007219433.tif 000003
【図２】
2007219433.tif 000004
【図３】
2007219433.tif 000005
【図４】
2007219433.tif 000006
【図５】
2007219433.tif 000007
【図６】
2007219433.tif 000008
【図７】
2007219433.tif 000009
【図８】
2007219433.tif 000010
【図９】
2007219433.tif 000011
【図１０】
2007219433.tif 000012
【図１１】
2007219433.tif 000013
【図１２】
2007219433.tif 000014
【図１３】
2007219433.tif 000015
【図１４】
2007219433.tif 000016
【図１５】
2007219433.tif 000017
【図１６】
2007219433.tif 000018
【図１７】
2007219433.tif 000019
【図１８】
2007219433.tif 000020
【図１９】
2007219433.tif 000021
【図２０】
2007219433.tif 000022